(57)【特許請求の範囲】
【請求項１】
ディスク状記録媒体を着脱可能に装着して回転駆動するディスク回転機構が取り付けられるベースユニットシャーシと、
上記ベースユニットシャーシに移動可能に支持されると共に上記ディスク回転機構に装着されて回転駆動される上記ディスク状記録媒体に対して情報信号の記録及び／又は再生を行うピックアップ装置と、
上記ベースユニットシャーシを支持する電気の導体からなるベースフレームと、
上記ベースユニットシャーシを覆って当該ベースユニットシャーシに静電気が帯電されるのを防止する電気の導体からなるベースユニットカバーと、
上記ベースユニットカバーと上記ベースフレームとを接続してベースユニットカバーに帯電される静電気をベースフレームに流すアース手段と、を設け、
上記アース手段は、
上記ベースユニットカバーに設けられ且つ上記ベースフレーム側に突出される第１のアース片と、
上記ベースユニットカバーに設けられ且つ上記モータベース板側に突出される第２のアース片と、
上記第１のアース片と上記ベースフレームとの間及び上記第２のアース片と上記モータベース板との間にそれぞれ掛け渡されるコイルバネと、を有し、
上記第１のアース片とコイルバネ及び上記第２のアース片とコイルバネを介して上記ベースユニットカバーと上記ベースフレーム及び上記モータベース板間を導通した
ディスクドライブ装置。
【発明の詳細な説明】
【０００１】
【発明の属する技術分野】
本発明は、光ディスクや光磁気ディスク、磁気ディスク等のディスク状記録媒体を回転駆動すると共に、このディスク状記録媒体の情報記録面に沿ってピックアップ装置の記録及び／又は再生ヘッドを移動させて情報信号の記録（書込み）及び／又は再生（読取り）を行うディスクドライブ装置に関するものである。
【０００２】
【従来の技術】
従来、一般に、ＣＤ（コンパクトディスク）やＣＤ−ＲＯＭ（リードオンリメモリ）等の光ディスク、ＭＤ（ミニディスク）等の光磁気ディスク、或いはＦＤ（フロッピィディスク）等の磁気ディスクその他のディスク状記録媒体を用いて情報信号の記録及び／又は再生を行う装置として、ディスクドライブ装置が提供されている。このようなディスクドライブ装置としては、例えば、図３８に示すような構成のものが知られている。
【０００３】
このディスクドライブ装置は、スピンドルモータの回転軸に取り付けられたターンテーブル上に光学ディスクを水平に装着して回転駆動すると共に、光学ピックアップ装置の光学ヘッドによってレーザ光を光学ディスクの情報記録面に照射している。そして、光学ヘッドを光学ディスクの中心から半径方向外側に向かって移動させ、この光学ヘッドにより情報記録面に情報信号を書き込んだり、予め情報記録面に記録されている情報信号を読み出すことにより、情報の記録及び／又は再生を行うようにしている。
【０００４】
このディスクドライブ装置１は、ベースユニットシャーシ２とスピンドルモータ３とターンテーブル４と光学ピックアップ装置５と送りネジ軸６と送りモータ７等を備えて構成されている。ベースユニットシャーシ２は長方形の薄い板金からなり、これには四角形の開口部８が設けられている。このベースユニットシャーシ２の長手方向一方の下面には、回転軸を上方へ突出させた状態でスピンドルモータ３が取り付けられている。このスピンドルモータ３の回転軸には、光学ディスクが装着されるターンテーブル４が固定されている。
【０００５】
また、ベースユニットシャーシ２には、互いに平行をなす２本のガイド軸９，９が所定の隙間をあけて開口部８を跨ぐように取り付けられている。これらのガイド軸９，９には、光学ピックアップ装置５のスライド部材１０が摺動可能に支持されている。スライド部材１０には送りナットが設けられており、この送りナットが送りネジ軸６に係合されている。送りネジ軸６は、一対の軸受片１１ａ，１１ｂを介してベースユニットシャーシ２に回動可能に両端支持されている。更に、送りネジ軸６には従動プーリ１２が固定されていて、この従動プーリ１２には無端状に連続したゴムベルト１３の一端が掛けられている。このゴムベルト１３の他端は、送りモータ７の回転軸に固定された駆動プーリ１４に掛けられている。そして、送りモータ７は、固定ネジ等の固着手段によってベースユニットシャーシ２に固定されている。
【０００６】
【発明が解決しようとする課題】
しかしながら、このような構成を有する従来のディスクドライブ装置１においては、ベースユニットシャーシ２が電気の導体であるステンレス鋼等の板金によって形成されているため、静電気に対する特別な対策を取る必要性が少なかった。即ち、スピンドルモータ３や光学ピックアップ装置５等が支持されるベースユニットシャーシ２は、同じく金属製の固定ネジ等の固着手段を用いて筐体等に取り付けられるため、その固定ネジを利用してアースすることができる。そのため、ベースユニットシャーシ２に静電気が作用した場合にも、その静電気を外部に容易に流して、ベースユニットシャーシ２に帯電されるのを防止することができる。
【０００７】
一方、近年では、この種のディスクドライブ装置における小型化、軽量化が要求されており、これを達成するために、軽量化等の容易なエンジニアリングプラスチックが多く使用されるようになってきた。このようなエンジニアリングプラスチックとしては、例えば、ガラス繊維入りのポリフェニレンエーテル（ＰＰＥ）等を挙げることができる。このガラス繊維入りＰＰＥは、比較的軽くて強度も大きいが、静電気を帯電し易いという性質を有している。そのため、このような静電気特性を有する材料を用いてディスクドライブ装置を構成する場合には、従来のディスクドライブ装置ではあまり問題とされていなかった静電気に対する対策が必要になってきた。
【０００８】
一般に、この種のディスクドライブ装置においては、ホール素子やレーザダイオードその他の電子部品や電気素子が多数使用されている。例えば、スピンドルモータ３に関連してホール素子が使用され、また、光学ピックアップ装置５に関連してレーザダイオードやレーザドライバＩＣ等が使われている。この場合、スピンドルモータ３の制御に使用されるホール素子は、所定の配線基板に搭載されてスピンドルモータ３の近傍に配置され、また、光学ピックアップ装置５の制御に使用されるレーザダイオードやレーザドライバＩＣ等は、所定の配線基板に搭載されてスライド部材１０に取り付けられている。
【０００９】
このように用いられているホール素子やレーザダイオード等のデバイスは、静電気に対する耐久性が弱く、許容以上の静電気が加えられると、その静電気によって静電破壊を生じる。そのため、静電気を帯電し易い材料でベースユニットシャーシを構成すると、ベースユニットシャーシに帯電された静電気がデバイスに飛び易くなり、その静電気によってデバイスが静電破壊されるおそれがあるという課題があった。
【００１０】
本発明は、このような従来の課題に鑑みてなされたものであり、スピンドルモータやピックアップ装置等の制御に用いられる静電気に弱いデバイスのアースをベースフレームに落とし、そのデバイスに静電気が飛ばないようにして、使用するデバイスの静電破壊を回避することを目的としている。
【００１１】
【課題を解決するための手段】
上述したような課題等を解決し、上記目的を達成するために、本出願のディスクドライブ装置は、ディスク状記録媒体を着脱可能に装着して回転駆動するディスク回転機構が取り付けられるベースユニットシャーシと、そのベースユニットシャーシに移動可能に支持されると共にディスク回転機構に装着されて回転駆動されるディスク状記録媒体に対して情報信号の記録及び／又は再生を行うピックアップ装置と、ベースユニットシャーシを支持する電気の導体からなるベースフレームと、ベースユニットシャーシを覆ってそのベースユニットシャーシに静電気が帯電されるのを防止する電気の導体からなるベースユニットカバーと、そのベースユニットカバーとベースフレームとを接続してベースユニットカバーに帯電される静電気をベースフレームに流すアース手段と、を設け、そのアース手段は、ベースユニットカバーに設けられ且つベースフレーム側に突出される第１のアース片と、ベースユニットカバーに設けられ且つモータベース板側に突出される第２のアース片と、第１のアース片とベースフレームとの間及び第２のアース片とモータベース板との間にそれぞれ掛け渡されるコイルバネと、を有し、第１のアース片とコイルバネ及び第２のアース片とコイルバネを介してベースユニットカバーとベースフレーム及びモータベース板間を導通した。
【００１２】
上述のように構成したことにより、本出願のディスクドライブ装置では、ベースユニットシャーシとピックアップ装置とベースフレームとベースユニットカバーとアース手段とを設ける構成としたため、ベースユニットカバーに帯電される静電気をアース手段を介してベースフレームに流すことができ、その静電気によって電子部品や電気素子が静電破壊されるのを回避することができる。
【００１３】
【発明の実施の形態】
以下、本発明の実施の形態を添付図面を参照して説明する。図１〜図３７は、本発明のディスクドライブ装置の実施の例を示すものである。即ち、図１はディスクドライブ装置に係るディスクドライブ組立体の一実施例を上面側から見た斜視図、図２は同じく平面図、図３は正面図、図４は底面図、図５は図４からベースユニットサブシャーシを取り除いた要部を拡大して示す説明図、図６は図４からモータベース板を取り除いた底面図、図７は要部を断面して示す背面図、図８は図２のＷ−Ｗ線断面図、図９は図２のＸ−Ｘ線断面図、図１０は左側面図、図１１は図２のＹ−Ｙ線断面図、図１２は図２のＺ−Ｚ線断面図、図１３は図２からベースユニットシャーシを取り除いた平面図、図１４は図１３のスピンドルモータ及び光学ピックアップ装置を示す正面図である。
【００１４】
図１５〜図２２は、本発明のディスクドライブ装置の第１の実施例を示すものである。即ち、図１５Ａ及びＢはディスクドライブ装置に係るベースユニットカバーの第１の実施例を示す平面図及び一部を断面した正面図、図１６Ａ乃至Ｅはディスクドライブ装置のアース手段の第１の実施例に係るクリップを示す正面側斜視図、背面側斜視図、正面図、左側面図及び底面図、図１７は図１に示すディスクドライブ組立体に図１５に示すベースユニットカバーを装着した平面図、図１８は同じく正面図、図１９は同じく底面図、図２０Ａ及びＢは同じく一部を断面した背面図及び分解背面図、図２１Ａ及びＢは同じく左側面図及び分解左側面図、図２２Ａ乃至Ｃは図１５に示すベースユニットカバーが装着されたディスクドライブ組立体をベースフレームに取り付けた平面図、正面図及び左側面図である。
【００１５】
図２３〜図２８は、本発明のディスクドライブ装置の第２の実施例を示すものである。即ち、図２３Ａ乃至Ｃはディスクドライブ装置に係るベースユニットカバーの第２の実施例を示す平面図、正面図及び左側面図、図２４は図１に示すディスクドライブ組立体に図２３に示すベースユニットカバーを装着した平面図、図２５は同じく正面図、図２６は同じく底面図、図２７は同じく一部を断面した背面図、図２８Ａ乃至Ｃは図２３に示すベースユニットカバーが装着されたディスクドライブ組立体をベースフレームに取り付けた平面図、正面図及び左側面図である。
【００１６】
図２９〜図３４は、本発明のディスクドライブ装置の第３の実施例を示すものである。即ち、図２９Ａ乃至Ｃはディスクドライブ装置に係るベースユニットカバーの第３の実施例を示す平面図、正面図及び左側面図、図３０は図１に示すディスクドライブ組立体に図２９に示すベースユニットカバーを装着した平面図、図３１は同じく正面図、図３２は同じく底面図、図３３は同じく一部を断面した背面図、図３４Ａ乃至Ｃは図２９に示すベースユニットカバーが装着されたディスクドライブ組立体をベースフレームに取り付けた平面図、正面図及び左側面図である。
【００１７】
また、図３５は本発明のディスクドライブ装置が用いられたデジタルビデオディスクカメラを示す側面図、図３６は同じく平面図、図３７は同じく分解斜視図である。
【００１８】
本発明のディスクドライブ装置は、ディスクドライブ組立体とベースユニットカバーとベースフレームとから構成されている。即ち、本発明の実施の例を示す図１から図３７において、図１〜図１４及び図１５〜図２２が本発明のディスクドライブ装置の第１の実施例を示し、図１〜図１４及び図２３〜図２８が本発明のディスクドライブ装置の第２の実施例を示し、図１〜図１４及び図２９〜図３４が本発明のディスクドライブ装置の第３の実施例を示している。まず、本発明のディスクドライブ装置に係るディスクドライブ組立体について説明する。
【００１９】
本発明のディスクドライブ装置に係るディスクドライブ組立体２０は、ディスク状記録媒体として、オーディオ情報等の音楽信号やビデオ情報等の映像信号及び音楽信号等の情報信号が予め記録された再生専用型の光学ディスク、或いはオーディオ情報やビデオ情報等の情報信号が１度だけ記録可能（追記型）若しくは何度でも繰り返して記録可能（書換え型）とされた記録可能型の光学ディスクＤを用いることができる。しかしながら、ディスク状記録媒体としては、これに限定されるものではなく、薄い円盤の表面に磁性薄膜層を形成して特定位置の磁化状態により情報を記憶するようにした磁気ディスク、同様に形成した磁性薄膜層に光ヘッドと磁気ヘッドを使用して情報を書き込み及び読み出すようにした光磁気ディスクその他の記憶媒体を適用することができることは勿論である。
【００２０】
このディスクドライブ組立体２０は、図１〜図４に示すように、ベースユニットシャーシ２１とベースユニットサブシャーシ２２とスピンドルモータ２３とターンテーブル２４と光学ピックアップ装置２５と送りネジ軸２６と送りモータ２７等を備えて構成されている。ベースユニットシャーシ２１は、平板状の平面部２１ａと、この平面部２１ａの周囲を囲うように外周縁に沿って下面側に突出させて設けた正面壁部２１ｂ、背面壁部２１ｃ及び左右の側面壁部２１ｄ，２１ｅとを有し、全体として底の浅い蓋体のような形状とされている。
【００２１】
図１及び図２に示すように、ベースユニットシャーシ２１の平面部２１ａの略中央部には、左右方向へ延びる略長方形をなすヘッド用の開口部２８が設けられている。更に、平面部２１ａのヘッド用開口部２８の長手方向の一方には円形の貫通孔２９が設けられている。そして、平面部２１ａのヘッド用開口部２８の長手方向と交差する方向の一方である背面側には、同じく左右方向へ延びる長方形のバネ用開口部３０が設けられている。このベースユニットシャーシ２１の下面には、図５及び図６に示すように、スピンドルモータ２３が取り付けられるＵ字状に形成された内壁部３１と、送りモータ２７等が収納されるモータ収納部３２と、背面側のサブガイド軸３３とが設けられている。
【００２２】
ベースユニットシャーシ２１の内壁部３１は貫通孔２９の下面に重なり合うように形成されている。この内壁部３１は、開口部２８と反対側の内周縁においてスピンドルモータ２３の外周面の半分を囲うように形成された内周面壁３１ａと、この内周面壁３１ａの両端に連続して開口部２８側に延在された互いに平行をなす風通路壁３１ｂ，３１ｂとからなる。この内周面壁３１ａと風通路壁３１ｂ，３１ｂとを有する内壁部３１により、後述するフィン等の回転に基づき空気を吸い込んで吐き出すことにより発生された風を導いて発熱体である光学ピックアップ装置２５等に吹き付けて冷却する風通路３５が形成されている。
【００２３】
また、図６に示すように、内壁部３１には、スピンドルモータ２３が固定されたモータベース板３６を支持する３箇所の支持凸部３７ａ，３７ｂ，３７ｃと、そのモータベース板３６を平面方向の所定位置に位置決めする２箇所の位置決め突起３８ａ，３８ｂとが設けられている。第１の支持凸部３７ａは、内壁部３１の内周面壁３１ａの前端縁と前側の風通路壁３１ｂとが連続する部分に設定されている。この第１の支持凸部３７ａの中央部には第１の位置決め突起３８ａが一体に設けられている。そして、第２及び第３の支持凸部３７ｂ，３７ｃの中央部にはネジ孔がそれぞれ設けられている。
【００２４】
更に、第１の位置決め突起３８ａの貫通孔２９を挟んで反対側には、第２の位置決め突起３８ｂが配置されている。この第２の位置決め突起３８ｂの風通路壁３１ｂ側には第３の支持凸部３７ｃが配置されている。そして、第２の支持凸部３７ｂは、第１の位置決め突起３８ａと第２の位置決め突起３８ｂとの中間部から直交する方向に延びた線と内壁部３１とが交わる位置に配置されている。これら第２及び第３の支持凸部３７ｂ，３７ｃには、図７及び図１１に示すように、コイルバネ３９がそれぞれ緩く嵌合されている。これらのコイルバネ３９を介してモータベース板３６が姿勢変更可能に取り付けられている。
【００２５】
モータベース板３６は板金製の薄い板材からなり、これにより、全体に弾性を持たせて撓み変形が可能とされている。このモータベース板３６の材質としては、電気を伝えやすい金属、例えば、ステンレス鋼、スチール鋼等が好適である。このモータベース板３６の中央部には、スピンドルモータ２３の固定部２３ａが嵌合される嵌合孔３６ａが設けられている。更に、モータベース板３６には、第１及び第２の位置決め突起３８ａ及び３８ｂが嵌合される第１及び第２の位置決め孔が設けられている。そして、第２及び第３の支持凸部３７ｂ，３７ｃと対応する位置には、調整ネジ４０のネジ部が挿通される挿通孔がそれぞれ設けられている。
【００２６】
図７及び図１１に示すように、スピンドルモータ２３は、モータベース板３６に嵌合されて固定される固定部２３ａと、この固定部２３ａに回転自在に支持される回転部２３ｂとから構成されている。スピンドルモータ２３の固定部２３ａは、例えば、円筒状の軸受スリーブと、この軸受スリーブ内に嵌合固定されたベアリングと、軸受スリーブの外部に嵌合固定された鉄芯等を有している。鉄芯は、円周方向に等角度間隔に設けられた複数の巻芯部を有し、各巻芯部には巻線が所定の巻数を巻き付けられている。
【００２７】
また、スピンドルモータ２３の回転部２３ｂは、例えば、固定部２３ａのベアリングに回転自在に支持された回転軸と、この回転軸を圧入することにより一体に固定された円筒であってリング状のロータ等を有している。ロータの内周面には、リング状をなす回転駆動用のマグネットが接着剤等の固着手段によって貼着固定されている。このマグネットは、鉄芯の巻芯部の数に対応した数の極数を有しており、円周方向に多極に磁化されている。例えば、巻芯部の数を９個とした場合、マグネットの極数は１２極となる（マグネットの極数＝巻芯部の数×４／３）。しかしながら、スピンドルモータ２３は、このような構成のものに限定されるものではない。
【００２８】
このスピンドルモータ２３の回転部２３ｂの中央部に設けられた回転軸２３ｃには、ターンテーブル２４が圧入等の固着手段により嵌合されて一体に構成されている。このターンテーブル２４は、光学ディスクＤのセンタ孔に嵌合される嵌合部２４ａと、この嵌合部２４ａの下端に連続されると共に光学ディスクＤが載置される載置部２４ｂと、この載置部２４ｂに載置された光学ディスクＤのセンタ孔を係止して抜け出しを防止する複数個のロック爪２４ｃ等を有している。ターンテーブル２４の嵌合部２４ａの直径は、光学ディスクＤのセンタ孔の内径よりも若干小径とされていて、センタ孔に対して出し入れ可能とされている。
【００２９】
また、ターンテーブル２４の嵌合部２４ａには３個のロック爪２４ｃが、周方向へ等角度間隔に配置されている。各ロック爪２４ｃは、コイルバネ等の弾性体（その他、板バネ、ゴム状弾性体等を適用することができる。）によって常時半径方向外側に付勢されている。即ち、３個のロック爪２４ｃの先端部は、光学ディスクＤのセンタ孔の周縁部を係止できるように嵌合部２４ａの外周面からそれぞれ外側へ適宜量だけ突出されており、これらのロック爪２４ｃによって光学ディスクＤがチャッキングされる。一方、３個のロック爪２４ｃを、それぞれ弾性体の付勢力に抗して嵌合部２４ａ内に押し込むことにより、ロック爪２４ｃによる光学ディスクＤのチャッキングを解除することができる。
【００３０】
このような光学ディスクＤのチャッキング及びその解除動作を容易にするため、各ロック爪２４ｃの先端部の上面及び下面には、それぞれ適当な大きさの傾斜部が設けられている。このターンテーブル２４によれば、３個のロック爪２４ｃの働きによって光学ディスクＤがチャッキングされ、その状態で一体的に回転駆動される。その一方、例えば、光学ディスクＤを斜めに傾けて引き起こし、その力でロック爪２４を後退させてセンタ孔から脱出させることにより、チャッキング状態を解除して光学ディスクＤを簡単に取り外すことができる。
【００３１】
このターンテーブル２４の載置部２４ｂには、摩擦抵抗の大きなゴム状弾性体やプラスチック等で形成されたディスク支持面２４ｄが設けられている。このディスク支持面２４ｄは、３個のロック爪２４ｃの働きによる押圧力を受けてセンタ孔の周縁部を弾性的に支持すると共に滑りを防止し、光学ディスクＤをターンテーブル２４と一体的に回転させる働きをなす。
【００３２】
このような構成を有するターンテーブル２４の下面には、複数枚のフィン４２が一体に設けられている。図６及び図７に示すように、フィン４２は、リング状をなす円筒体４４の外周面から半径方向外側に放射状に延在されている。この実施例では、フィン４２は８枚とされているが、フィンの枚数は７枚以下であってもよく、また、９枚以上であってもよい。このフィン４２はターンテーブル２４と一体に形成されているため、ターンテーブル２４の回転により同時にフィン４２が回転駆動される。このフィン４２を囲むように内壁部３１が設定されていて、風通路３５の一方が空気の吸込み側とされ、他方が風の吐出し側とされている。
【００３３】
このようなフィン４２の付いたターンテーブル２４を回転駆動するスピンドルモータ２３の電気回路は、モータベース板３６上に取り付けられた図示しないプリント配線基板上に構成されている。このプリント配線基板には、ホール素子やコネクタその他の電気素子、電子部品が搭載されており、そのコネクタにフレキシブル配線４５の一端が接続されている。このフレキシブル配線４５の他端が側方から導出されて、図示しない電源回路等に接続されている。
【００３４】
図５、図９及び図１２に示すように、ベースユニットシャーシ２１のモータ収納部３２は、正面壁部２１ｂの外面部２１b1と平行に延在された横仕切り壁４６と、側面壁部２１ｄの内側に配置され且つ横仕切り壁４６と直交する方向に延びる縦仕切り壁４７とを有している。更に、正面壁部２１ｂは、外面部２１b1と平行をなす内面部２１b2と、この内面部２１b2と外面部２１b1との間を連結する横面部２１b3とを有している。この外面部２１b1と横面部２１b3と横仕切り壁４６と縦仕切り壁４７とで囲まれた四角形の空間部内がモータ収納部３２とされている。
【００３５】
送りモータ２７は、軸方向に細長く形成されたモータ本体２７ａと、このモータ本体２７ａに回転自在に支持された回転軸２７ｂとを有している。モータ本体２７ａは、外周面の２箇所を互いに平行に切り欠いたような二面幅部を有している。このモータ本体２７ａの二面幅部を外面部２１b1と横仕切り壁４６との間に圧入して挟み込むことにより、送りモータ２７がベースユニットシャーシ２１に設けたモータ収納部３２の空間部内に挿入されて圧入固定されている。この送りモータ２７の回転軸２７ｂは、モータ本体２７ａの軸方向の一端から突出されていて、その突出側で首のように突出した軸受部がモータ軸受部２７ｃとされている。
【００３６】
更に、送りモータ２７の回転軸２７ｂは、縦仕切り壁４７に設けられた切欠き４７ａを貫通している。この回転軸２７ｂの突出部には、出力ギア４８と回転板５１とが取り付けられており、これらが回転軸２７ｂによって一体的に回転駆動される。回転板５１には、放射状に延びる多数のスリットが周方向に等角度間隔に設けられている。この回転板５１と検出センサ５２とによって回転数検出器５０が構成されている。この回転数検出器５０は、送りモータ２７の回転角度及び回転数を検出するもので、検出センサ５２は側面壁部２１ｄの内面に取り付けられている。即ち、側面壁部２１ｄの内面には、検出センサ５２を取り付けるための取付凸部５３が設けられている。
【００３７】
この検出センサ５２は、回転板５１の一部が挿入されるスリット状の切欠き溝５２ａを有している。この検出センサ５２の切欠き溝５２ａの両側には、発光素子と受光素子とが互いに対向するように内蔵されている。この発光素子から発射された光を回転板５１のスリットを介して受光素子により受光し、そのスリット間の遮光部によって遮光される回数を検出センサ５２で測定する。この遮光回数を測定することにより、回転数検出器５０によって送りモータ２７の回転軸２７ｂの回転角度及び回転数を検出することができる。
【００３８】
図５及び図１１に示すように、検出センサ５２には取付凸部５３が嵌合される嵌合孔５２ｂが設けられている。この嵌合孔５２ｂに取付凸部５３を嵌合することにより、検出センサ５２がベースユニットシャーシ２１に固定されている。この検出センサ５２が取付凸部５３を中心として回転変位するのを防止するため、図１１に示すように、ベースユニットシャーシ２１には受け台７８が設けられている。この受け台７８に検出センサ５２を載せることにより、嵌合孔５２ｂが取付凸部５３に対して高さ方向に位置合わせされる。従って、受け台７８に検出センサ５２を載せた状態で横方向の力を加えることにより、簡単に嵌合孔５２ｂを取付凸部５３に嵌合させることができる。
【００３９】
また、送りモータ２７の回転軸２７ｂに固定された出力ギア４８には、駆動ギア５４が噛合されている。この駆動ギア５４は、送りネジ軸２６に圧入等の固着手段により固定されて一体的に設けられている。送りネジ軸２６は、送りモータ２７の軸方向の長さよりもやや長く形成されており、モータ本体２７ａよりも長く形成されたネジ部２６ａと、このネジ部２６ａの両側に連続された軸部２６ｂ，２６ｃとを有している。そして、軸部２６ｃのネジ部２６ａ側に、駆動ギア５４が嵌合されている。
【００４０】
送りネジ軸２６の一方の軸部２６ｂはベースユニットシャーシ２１の横面部２１b3に設けたＵ字状の第１の軸受部５５ａに係合されて回転自在に支持されている。この送りネジ軸２６の他方の軸部２６ｃはベースユニットシャーシ２１の側面壁部２１ｄに設けたＵ字状の第１の軸受部５５ｂに係合されて回転自在に支持されている。これら第１の軸受部５５ａ，５５ｂに軸部２６ｂ，軸部２６ｃを係合させることにより、送りネジ軸２６が送りモータ２７の下方に重ね合わされるように積層した状態で配置される。このとき、駆動ギア５４は出力ギア４８に噛合される。そして、ベースユニットシャーシ２１の外面部２１b1には、駆動ギア５４の一部を露出させる開口窓５６ａが設けられている。
【００４１】
この送りネジ軸２６のネジ部２６ａには、断面形状が三角形をなす三角歯が軸心線方向に螺旋状に連続するように設けられている。この送りネジ軸２６の内側には、軸心線が平行となるように一方のガイド軸６０が配置されている。このガイド軸６０の両端は、ベースユニットシャーシ２１の内面部２１b2の側部と縦仕切り壁４７とに設けられた一対の第２の軸受部５７ａ，５７ｂに係合されて支持されている。第２の軸受部５７ａ，５７ｂはコ字状に切り欠かれた凹部からなり、互いに対向するよう設けられていて、ガイド軸６０の出し入れが可能とされている。
【００４２】
ガイド軸６０は外周面が平滑にされた丸棒状の部材からなり、ピックアップ装置の一具体例を示す光学ピックアップ装置２５のスライド部材に摺動自在に挿通されている。このガイド軸６０と対をなす他方のガイド軸であるサブガイド軸３３が、図４及び図１２等に示すように、ベースユニットシャーシ２１の背面部に設けられている。
【００４３】
このサブガイド軸３３は、背面壁部２１ｃと一体に形成された丸棒状の部材からなり、側方に延びる連結部３３ａによって背面壁部２１ｃに連続されている。このサブガイド軸３３はガイド軸６０と平行をなすように設けられていて、送りネジ軸２６のネジ部２６ａと略同じ長さに設定されている。このサブガイド軸３３とガイド軸６０とによって光学ピックアップ装置２５が、ターンテーブル２４に対して所定範囲内において接近及び離反可能とされている。
【００４４】
光学ピックアップ装置２５は、図４及び図１３等に示すように、ガイド軸６０及びサブガイド軸３３にガイドされて摺動するスライド部材６１と、このスライド部材６１に載置されて往復移動される光学ピックアップ６２等を備えて構成されている。
【００４５】
スライド部材６１は、ガイド軸６０とサブガイド軸３３との間を跨ぐことができる大きさであって、剛性を高くするためブロック状に形成されている。このスライド部材６１の一側には、左右方向に対をなす軸受部６１ａ，６１ａが設けられており、各軸受部６１ａには横方向に貫通する孔が開口されている。これら軸受部６１ａ，６１ａの孔にはスリーブ６３がそれぞれ嵌合されていて、それらのスリーブ６３にガイド軸６０が摺動自在に挿通されている。
【００４６】
また、スライド部材６１の他側には、背面側に突出された軸受部６１ｂが設けられている。この軸受部６１ｂには、背面側に開口された軸受溝６４が設けられている。この軸受溝６４には、サブガイド軸３３が摺動可能に係合されている。更に、図６及び図７に示すように、軸受部６１ｂには板バネ６５が、固着手段の一具体例を示す取付ネジ及びナット６６によって取り付けられている。
【００４７】
この板バネ６５は、軸受溝６４とサブガイド軸３３との間に生ずるガタを吸収するためのもので、サブガイド軸３３の上面に圧接される押圧片６５ａを有している。この押圧片６５ａをサブガイド軸３３の上面に圧接することにより、軸受溝６４の下面がサブガイド軸３３の下面に押圧される。これにより、軸受溝６４とサブガイド軸３３との間のガタが吸収され、スライド部材６１の姿勢を一定に維持してスライド動作させることができる。
【００４８】
このスライド部材６１の左右の軸受部６１ａ，６１ａ間には、送りナット６７が取り付けられている。この送りナット６７は、送りネジ軸２６のネジ部２６ａに係合されるナット部６８と、このナット部６８を弾性的に支持する板状のバネ材によって形成された支持体６９とを有している。支持体６９は、ナット部６８を弾性的に支持する弾性片６９ａと、スライド部材６１の位置を検出するための位置検出片６９ｂとを有している。この支持体６９は、スライド部材６１の左右の軸受部６１ａ，６１ａ間の下面において固定ネジ５８ａによりネジ止めされている。この支持体６９の固定部より外側には弾性片６９ａが突出され、内側には位置検出片６９ｂが突出されている。
【００４９】
図５、図８及び図１４に示すように、支持体６９の弾性片６９ａは、中途部において上方に折り曲げられ、その折り曲げ部から先端側において横方向に延在され、その先端にナット部６８が固定されている。また、位置検出片６９ｂは、中途部において上方に折り曲げられ、その折り曲げ部から先端側において弾性片６９ａと同様に横方向に延在され、その先端部がスピンドルモータ２３側に突出して検出部とされている。
【００５０】
送りナット６７のナット部６８には、外向きに突出された互いに平行をなす２個の係合歯６８ａ，６８ａが設けられている。２個の係合歯６８ａ，６８ａは、送りネジ軸２６のネジ部２６ａのネジ山を両側から挟むようにして係合され、そのネジ部２６ａのリードに合わせて所定角度傾斜して形成されている。このような２個の係合歯６８ａ，６８ａを弾性片６９ａのバネ力でネジ部２６ａに内側から圧接するようにして送りネジ軸２６が、送りモータ２７と重なり合うように組み立てられている。
【００５１】
このような組立状態において、図４に示すように、ベースユニットサブシャーシ２２がモータ収納部３２を覆うように重ね合わされている。そして、４個の取付ネジ５８ｂによってベースユニットサブシャーシ２２がベースユニットシャーシ２１に取り付けられて固定されている。このとき、図５及び図９に示すように、送りネジ軸２６及びガイド軸６０は、ベースユニットサブシャーシ２２によってそれぞれ抑えられ、それぞれ第１の軸受部５５ａ，５５ｂ及び第２の軸受部５７ａ，５７ｂから抜け止めされている。
【００５２】
ベースユニットサブシャーシ２２は、図４及び図９〜図１２に示すように、モータ収納部３２を覆う上述した下面部２２ａと、この下面部２２ａの正面側に連続された正面壁部２２ｂと、同じく側面側に連続された側面壁部２２ｃとを有している。そして、側面壁部２２ｃには、送りネジ軸２６の一端を軸方向に押圧する押圧片７７が設けられている。この押圧片７７は、送りネジ軸２６を常に軸方向の一方に付勢して軸方向に生じるガタを吸収し、送りモータ２７の回転角及び回転数が正確に送りネジ軸２６に伝達されるようにしている。更に、ベースユニットサブシャーシ２２には、駆動ギア５４との干渉を避けるための開口窓５６ｂが設けられている。
【００５３】
上述した送りネジ軸２６と送りモータ２７と出力ギア４８及び駆動ギア５４と送りナット６７とによってヘッド送り機構が構成されている。このヘッド送り機構の作動により光学ピックアップ装置２５が、ターンテーブル２４に対して接近又は離反するように往復運動される。
【００５４】
光学ピックアップ装置２５の光学ピックアップ６２は、対物レンズ７０を光学ディスクＤの情報記録面に臨ませる２軸アクチュエータを有する光学ヘッド６２ａと、この光学ヘッド６２ａを介して情報信号の記録及び再生を行う半導体レーザや光電変換素子等を有する光学制御部６２ｂ等を備えている。
【００５５】
図１２及び図１３に示すように、光学ヘッド６２ａの大部分はヘッドカバー７１によって覆われており、このヘッドカバー７１に設けた開口部７２から対物レンズ７０が露出されている。この光学ピックアップ６２は、スライド部材６１の上面に取り付けられた上プリント配線基板７３ａと電気的に接続されている。そして、上プリント配線基板７３ａは、フレキシブル配線によって下プリント配線基板７３ｂと電気的に接続され、この下プリント配線基板７３ｂはスライド部材６１の下面に取り付けられている。
【００５６】
上下のプリント配線基板７３ａ，７３ｂは、光学ピックアップ６２の駆動制御に用いられるもので、レーザドライバＩＣ、コネクタその他の電気素子、電子部品が搭載されている。また、スライド部材６１の周囲には、光学ピックアップ装置２５の一部を構成するレーザダイオードや受光素子、コネクタその他の電気素子、電子部品が取り付けられている。そして、これらプリント配線基板上の回路に直接的に或いはコネクタ７４等を介して間接的にフレキシブル配線７５の一端が接続されている。このフレキシブル配線７５の他端が、図１に示すように側方から導出されて、図示しない電源回路等に接続されている。
【００５７】
また、図１３に示すように、モータベース板３６には、スライド部材６１が所定位置まで接近した状態を検出するための位置検出センサ７６が設けられている。この位置検出センサ７６にはスリット状の検出部７６ａが設けられている。この検出部７６ａに上述した支持体６９の位置検出片６９ｂが入り込むことにより、スライド部材６１が最もターンテーブル２４に近づいた状態を知ることができる。この位置検出センサ７６でスライド部材６１を検出することにより、ヘッド送り機構によるディスク半径方向内側への移動が停止される。この内側の停止位置が、光学ピックアップ装置２５の初期設定位置となる。
【００５８】
上述したベースユニットシャーシ２１、ベースユニットサブシャーシ２２、ターンテーブル２４、フィン４２、出力ギア４８及び駆動ギア５４の材質としては、例えば、ＡＢＳ樹脂、ポリアセタール（ＰＯＭ）、ポリカーボネート（ＰＣ）、ガラス繊維入りＰＰＥ、その他各種のエンジニアリングプラスチックを用いることができるが、アルミニウム合金その他の金属を適用することもできる。また、スライド部材６１の材質としては、例えば、アルミニウム合金、マグネシウム合金その他の金属が好適である。更に、ガイド軸６０、板バネ６５及び支持体６９の材質としては、例えば、ステンレス鋼その他の金属が好適であるが、エンジニアリングプラスチックを適用することもできる。
【００５９】
上述したような構成を有するディスクドライブ組立体２０は、例えば、次のようにして簡単に組み立てることができる。このディスクドライブ組立体２０の組立作業は、ベースユニットシャーシ２１を裏返しにした状態で行われる。この場合、スピンドルモータ２３、送りモータ２７及び光学ピックアップ装置２５は、予め所定の部分組立を済ませておくようにする。即ち、スピンドルモータ２３は予めモータベース板３６に取り付けておき、その回転部２３ｂにはターンテーブル２４を取り付けておく。更に、送りモータ２７の回転軸２７ｂには、出力ギア４８及び回転板５１を取り付けておく。そして、スライド部材６１には光学ピックアップ６２を搭載しておき、送りナット６７及び板バネ６５も取り付けておくようにする。
【００６０】
まず、裏返しにされたベースユニットシャーシ２１のモータ収納部３２に送りモータ２７を差し込み、モータ本体２７ａを正面壁部２１ｂの外面部２１b1と横仕切り壁４６との間に挟み込む。そして、送りモータ２７のモータ軸受部２７ｃを、縦仕切り壁４７の切欠き４７ａ内に挿入する。
【００６１】
次に、フレキシブル配線７５から分岐されたフレキシブル配線７５ａによって送りモータ２７と連結された検出センサ５２をモータ収納部３２内の所定位置に取り付ける。即ち、側面壁部２１ｄの内面に設けた取付凸部５３に検出センサ５２の係合孔５２ｂを嵌め込む。これにより、検出センサ５２の組み立てが完了する。このとき、検出センサ５２の切欠き溝５２ａ内には、回転軸２７ｂに取り付けられた回転板５１の一部が入り込む。
【００６２】
次に、駆動ギア５４が取り付けられた送りネジ軸２６を送りモータ２７の上に重ね合わせるようにして、両端の軸部２６ｂ，２６ｃを第１の軸受部５５ａ，５５ｂに係合させる。これにより、送りネジ軸２６の組み立てが終了する。この際、駆動ギア５４は出力ギア４８に必然的に噛合される。
【００６３】
次に、スピンドルモータ組立体を組み立てる。まず、第２及び第３の支持凸部３７ｂ，３７ｃにコイルバネ３９をそれぞれ嵌め込む。次に、ベースユニットシャーシ２１の貫通孔２９内にターンテーブル２４を挿入し、第１及び第２の位置決め突起３８ａ，３８ｂをモータベース板３６の２個の位置決め孔３６ｂ，３６ｃに嵌合させる。そして、モータベース板３６の第１及び第２の孔に第１及び第２の調整ネジ４０ａ，４０ｂの軸部をそれぞれ挿通させ、各先部をネジ孔に螺合させて仮止めする。
【００６４】
次に、光学ピックアップ装置２５を組み立てる。まず、スライド部材６１の一側に設けた一対の軸受部６１ａ，６１ｂのスリーブ６３にガイド軸６０を挿通する。次に、対物レンズ７０をベースユニットシャーシ２１の開口部２８に向けた状態で、スライド部材６１の他側に設けた軸受部６１ｂの軸受溝６４をベースユニットシャーシ２１の背面側に設けたサブガイド軸３３に嵌め込む。このとき、板バネ６５の押圧片６５ａがサブガイド軸３３の下面に押圧され、この押圧片６５ａのバネ力によってサブガイド軸３３が挟持される。
【００６５】
この状態から、スライド部材６１をベースユニットシャーシ２１側に回動させ、スライド部材６１の一側に保持されているガイド軸６０の両端を第２の軸受部５７ａ，５７ｂにそれぞれ嵌め込む。このとき、スライド部材６１に取り付けられている送りナット６７のナット部６８が送りネジ軸２６のネジ部２６ａに噛合される。
【００６６】
次に、モータ収納部３２を覆うようにベースユニットシャーシ２１の上にベースユニットサブシャーシ２２を重ね合わせる。そして、所定数の取付ネジ５８ｂを用いてベースユニットサブシャーシ２２をベースユニットシャーシ２１に締付固定する。これにより、ディスクドライブ組立体２０の組立作業が完了する。
【００６７】
このように、本実施例によれば、送りモータ２７、検出センサ５２、送りネジ軸２６及びガイド軸６０を逐次的に組み立てた後、ベースユニットサブシャーシ２２をベースユニットシャーシ２１に重ね合わせることにより、それだけで送りモータ２７、検出センサ５２、送りネジ軸２６及びガイド軸６０を所定位置にセットすることができる。そして、ベースユニットサブシャーシ２２のみをネジ止めすることにより、送りモータ２７等の個々の部品をネジ止めすることなく、ベースユニットシャーシ２１に固定することができる。従って、この種の装置における組立性を改善することができ、その生産性を向上することができる。
【００６８】
上述したディスクドライブ組立体２０には、ベースユニットカバーが取り付けられる。本発明に係るベースユニットカバーの第１の実施例は、図１５Ａ，Ｂに示すような構成を有している。即ち、ベースユニットカバー１００は、ディスクドライブ組立体２０の上面を覆うことができる上面部１００ａと、この上面部１００ａの外周縁を全周に渡って覆う側面部１００ｂとを有している。上面部１００ａは、ディスクドライブ組立体２０の上面形状に見合った形状を有し、ターンテーブル２４と対応する位置には円形の貫通穴１０１が設けられ、また、光学ピックアップ６２の対物レンズ７０と対応する位置には所定の幅を有する貫通長穴１０２が設けられている。
【００６９】
ベースユニットカバー１００の貫通穴１０１は、ターンテーブル２４の直径よりも少々大きく形成されており、組立時には、ターンテーブル２４の載置部２４ｂが貫通される。また、ベースユニットカバー１００の貫通長穴１０２は、光学ヘッド６２ａの対物レンズ７０の幅よりも少々幅広に形成されていると共に、その対物レンズ７０の移動軌跡と重なり合うように延在されている。更に、上面部１００ａには、ベースユニットカバー１００をベースユニットシャーシ２１に固定するために複数個（本実施例では３個）の挿通孔１０３が設けられている。そして、各挿通孔１０３の周縁部には、固定ネジの頭部を収納するための座ぐり部１０３ａが設けられている。
【００７０】
このような構成を有するベースユニットカバー１００は、ディスクドライブ組立体２０の上面を覆って塵や埃等が付着するのを防止すると共に、上述したプリント配線基板等に搭載された電子部品や電気素子を静電気から保護する役割を有するものである。そのため、ベースユニットカバー１００の材質としては、導電性に優れた電気の導体からなるステンレス鋼やスチール鋼等の金属が好適であるが、導電性を有する複合材料（例えば、プラスチックに導電性金属繊維を含有させたもの等）を適用することもできる。
【００７１】
このベースユニットカバー１００とモータベース板３６との間の導通を図るため、この第１の実施例においては、アース手段の第１の具体例としてクリップ１０４が設けられている。このクリップ１０４は、図１６Ａ〜Ｅに示すような構成を有している。即ち、クリップ１０４は、ベースユニットシャーシ２１の所定位置を挟持するための第１の挟持部１０５と、モータベース板３６を挟持するための第２の挟持部１０６とが設けられている。このクリップ１０４の材質としては、適当な強さの弾性を有すると共に導電性に優れた電気の導体からなるステンレス鋼やスチール鋼等の金属が好適であるが、導電性を有する複合材料その他の材料を用いることができる。
【００７２】
クリップ１０４の第１の挟持部１０５は、対向するように設置された一対の第１の挟持片１０５ａ，１０５ｂと、両挟持片１０５ａ，１０５ｂ間を連結する第１の連結片１０５ｃとからなり、これらでコ字状の枠体を形成することによって適当な強さの弾性が付与されている。この第１の挟持部１０５の一方の挟持片１０５ａには、側方に突出する接触片１０５ｄが一体に設けられている。この接触片１０５ｄは、挟持片１０５ａとの連結部において少々折り曲げられて先端部が斜め上方へ突出するように形成されている。この接触片１０５ｄの先部がベースユニットカバー１００の内面に圧接される。
【００７３】
クリップ１０４の第２の挟持部１０６は、対向するように設置された一対の第２の挟持片１０６ａ，１０６ｂと、両挟持片１０６ａ，１０６ｂ間を連結する第２の連結片１０６ｃとからなり、連結片１０６ｃを狭くしてクサビ状の枠体を形成することにより、モータベース板３６を挟持するために必要な強さの弾性が付与されている。この第２の挟持部１０６の一方の挟持片１０６ａは、第１の挟持部１０５の挟持片１０５ｂと重ね合わせるように連続して一体に形成されている。従って、第２の挟持部１０６の開口は、第１の挟持部１０５と同方向に開口されている。
【００７４】
更に、第２の挟持部１０６の他方の挟持片１０６ｂには、連結片１０６ｃと反対側に突出する固定部１０６ｄが設けられている。この固定部１０６ｄには、ハンダを保持するための保持孔１０６ｅが設けられている。この保持孔１０６ｅにリード線１０７の先端部を係合してハンダで保持することにより、図１６Ｅに示すように、リード線１０７を確実に接合することができる。このクリップ１０４の材質としては、例えば、銅が含有された電気の導体である銅合金製の板状バネ材が好適であるが、他の導体からなる金属その他の材料であっても良いことは勿論である。
【００７５】
このクリップ１０４をベースユニットシャーシ２１に取り付けるため、ベースユニットシャーシ２１の対応する部分には、クリップ１０４が装着されるクリップ装着部１０８が設けられている。このクリップ装着部１０８は、ここに装着されたクリップ１０４の第１の挟持部１０５の表面、即ち、第１及び第２の挟持片１０５ａ，１０５ｂ並びに連結片１０５ｃの表面が、ベースユニットシャーシ２１の表面と同一面になるか若しくはそれ以下の低い面となって引っ掛かりを生ずることがないようにするためのものである。このクリップ装着部１０８のうちベースユニットシャーシ２１の上面のサブガイド軸３３側の前斜め角部は、接触片１０５ｄの十分な沈み込みを確保することができるように深く形成されている。
【００７６】
このような構成を有するクリップ１０４及びベースユニットカバー１００は、図１７乃至図２１に示すように、ディスクドライブ組立体２０に組み立てる。この際、クリップ１０４の第２の挟持部１０６の固定部１０６ｄには、予めリード線１０７の一端をハンダ付けしておくようにする。
【００７７】
まず、クリップ１０４の第１の挟持部１０５の開口側をベースユニットシャーシ２１のクリップ装着部１０８に臨ませ、この第１の挟持部１０５にクリップ装着部１０８を差し込む。これにより、クリップ装着部１０８が一対の挟持片１０５ａ，１０５ｂによって挟持される。これと同時に、第２の挟持部１０６の開口側をモータベース板３６に臨ませ、この第２の挟持部１０６にモータベース板３６を差し込む。これにより、モータベース板３６が一対の挟持片１０６ａ，１０６ｂによって挟持される。
【００７８】
その結果、クリップ１０４の第１の挟持部１０５のうち、接触片１０５ｄを除く他の部分はクリップ装着部１０８内に収納され、第１の挟持片１０５ａ及び連結片１０５ｃの表面は、ベースユニットシャーシ２１の表面と同一面か若しくはそれよりも低い面となる。従って、第１の挟持片１０５ａ及び連結片１０５ｃの表面がクリップ装着部１０８から突出することがないため、ベースユニットカバー１００の表面に凹凸を生じさせないようにすることができる。一方、クリップ１０４の接触片１０５ｄは、図１７、図２０Ｂ及び図２１Ｂに示すように、クリップ装着部１０８から上方に突出されている。
【００７９】
次に、ディスクドライブ組立体２０の上面にベースユニットカバー１００を被せる。そして、所定数の固定ネジ１０９ａを用いてベースユニットカバー１００をベースユニットシャーシ２１に締付固定する。これにより、図１８及び図１９に示すように、クリップ１０４及びベースユニットカバー１００の組立が完了する。
【００８０】
このとき、図２０Ａ及び図２１Ａに示すように、ベースユニットカバー１００の内面に接触片１０５ｄの先端部が、自己が持つバネ力によって圧接されるため、クリップ１０４とベースユニットカバー１００とが導通され、電流を流すことができる状態となる。同様に、クリップ１０４の第２の挟持部１０６によってモータベース板３６が挟持されるため、クリップ１０４とモータベース板３６とが導通され、電流を流すことができる状態となる。
【００８１】
次に、ベースユニットカバー１００及びクリップ１０４が装着されたカバー付ディスクドライブ組立体２０を、ベースフレーム９４に組み立てる。このベースフレーム９４に対するカバー付ディスクドライブ組立体２０の組み立ては、図２２Ａ〜Ｃに示すような構造によって行われている。
【００８２】
まず、ベースフレーム９４の構成について説明する。このベースフレーム９４は、カバー付ディスクドライブ組立体２０よりも平面形状が大きな板金製の板体によって形成されている。このベースフレーム９４の上面は、その大部分が絶縁性のシート部材９８によって覆われているが、そのシート部材９８の一部には切欠き９８ａが設けられており、その切欠き９８ａからベースフレーム９４の地肌が露出されている。このベースフレーム９４の周縁部には、カメラフレーム等に取り付けたり、他の構成部品を取り付ける等するために多数の取付片９４ａ，９４ｂが設けられている。
【００８３】
ベースフレーム９４の取付片９４ａ，９４ｂは、表面側に突出された表側取付片９４ａと、裏面側に突出された裏側取付片９４ｂとからなる。裏側取付片９４ｂの一部にはメイン配線基板１１０が取り付けられていて、このメイン配線基板１１０には、メイン制御回路その他の回路を構成するコントロールＩＣ、メモリ（ＲＯＭ及びＲＡＭ）、抵抗、コンデンサ、コネクタその他多数の電子部品、電気素子が搭載されている。また、ベースフレーム９４の３箇所の切欠き９８ａによって露出された部分には、上述したカバー付ディスクドライブ組立体２０を支持するために支持片９４ｃがそれぞれ設けられている。
【００８４】
３箇所の支持片９４ｃはカバー付ディスクドライブ組立体２０を三方から支持するように略均等に配置されていて、各支持片９４ｃにはインシュレータホルダ１１１がそれぞれ着脱可能に装着されている。そして、各インシュレータホルダ１１１には、ゴム状弾性体によって形成されたインシュレータ１１２がそれぞれ取り付けられている。これらのインシュレータ１１２を用いてカバー付ディスクドライブ組立体２０を弾性的に支持するため、ベースユニットシャーシ２１の対応する部位の３箇所には側方に突出する支持アーム１１３が設けられている。
【００８５】
各支持アーム１１３は、インシュレータ１１２の中央部を貫通するように設けられた貫通孔にそれぞれ挿通されている。この３本の支持アーム１１３をインシュレータ１１２を介して三方から支持することにより、カバー付ディスクドライブ組立体２０がベースフレーム９４に弾性的に支持されている。また、図２２Ａ及びＣに示すように、一端がクリップ１０４に接続されたリード線１０７の他端は、固定ネジ１１４によってインシュレータホルダ１１１に締付固定されている。これにより、固定ネジ１１４を介してリード線１０７がベースフレーム９４に対して電流を流すことができるように接続されている。
【００８６】
このように組み立てられたディスクドライブ組立体２０とベースユニットカバー１００とベースフレーム９４とによって本発明の第１の実施例を示すディスクドライブ装置１７が構成されている。このような構成を有するディスクドライブ装置１７によれば、例えば、次のようにして光学ディスクＤの再生及び／又は記録を実行することができる。
【００８７】
まず、ターンテーブル２４に光学ディスクＤを装着する。この作業は、次のようにして行うことができる。例えば、光学ディスクＤの外周縁の複数箇所を把持し、そのセンタ孔をターンテーブル２４の嵌合部２４ａに合わせる。そして、光学ディスクＤを軽く押圧して３個のロック爪２４ｃを後退させ、センタ孔を通過させる。これにより、センタ孔を通過した３個のロック爪２４ｃが、センタ孔の縁の３箇所に乗り上げることによりチャッキングが実行される。
【００８８】
次に、スピンドルモータ２３を駆動することにより、ターンテーブル２４と一体に光学ディスクＤを回転させる。これと同時に又はその後に続いて、ヘッド送り機構の送りモータ２７を駆動させる。この場合、ヘッド送り機構は、光学ピックアップ装置２５を初期位置に設定するように動作される。即ち、送りモータ２７は、スライド部材６１をターンテーブル２４に近づける方向に回転駆動される。この送りモータ２７の回転力は、出力ギア４８から駆動ギア５４を介して送りネジ軸２６に伝達され、送りモータ２７の回転角度又は回転数に対応した角度又は回転数だけ送りネジ軸２６が回転駆動される。
【００８９】
その結果、送りネジ軸２６の回転によって送りナット６７が送りネジ軸２６の軸方向に移動する。そして、スライド部材６１がターンテーブル２４の所定位置まで近づくと、位置検出片６９ｂが位置検出センサ７６によって検出される。これにより、ヘッド送り機構の動作が停止され、この停止位置が光学ピックアップ装置２５の初期位置とされる。この状態を経て、情報信号の再生又は記録動作が実行される。
【００９０】
即ち、ヘッド送り機構の作動によってスライド部材６１が光学ディスクＤの半径方向内側から半径方向外側へ移動される。このとき、光学ピックアップ６２から発射されたレーザ光が、光学ヘッド６２ａの対物レンズ７０から光学ディスクＤの情報記録面に向けて照射される。その結果、再生時には、情報記録面に照射されたレーザ光によって予め記録されている情報信号が読み出され、その情報信号に基づいて再生動作が行われる。また、記録時には、情報記録面に照射されたレーザ光によって情報信号が書き込まれ、記録動作が行われる。
【００９１】
この場合、スピンドルモータ２３が駆動されると、その回転部２３ｂに固定されたターンテーブル２４と一体に形成された多数のフィン４２が一体に回転駆動される。このフィン４２は、ベースユニットシャーシ２１に形成された風通路３５内に配置されており、フィン４２の回転によって風通路３５の一方から空気が吸い込まれ、風通路３５の他方から空気が吐き出される。これにより、風通路３５内に空気の流れ（風）が発生し、この風が風通路３５の吐出し口から吐き出されてベースユニットシャーシ２１内に循環される。
【００９２】
このベースユニットシャーシ２１内を循環する風は、いずれも発熱源である光学ピックアップ６２、スピンドルモータ２３、送りモータ２７及びプリント配線基板７３ａ，７３ｂ等に吹き付けられる。その結果、フィン４２の回転によって発生する風により、発熱源である光学ピックアップ６２やスピンドルモータ２３等が冷やされ、これらの温度上昇を防ぐことができる。従って、発熱による機器の性能低下や性能劣化を防止することができ、レーザ光の照射を安定化させて、記録及び再生時の性能低下を押さえることができる。
【００９３】
このような構成及び作用、効果を有するディスクドライブ装置１７は、例えば、図３５〜図３７に示すような電子機器に装着して使用することができる。図３５及び図３６は、電子機器の一具体例を示すデジタルビデオディスクカメラに適用したものである。このデジタルビデオディスクカメラ８０は、情報記録媒体として記録可能な光ディスクを使用し、デジタルスチルカメラの機能とビデオテープレコーダの機能とを合わせ持つ構成としたものである。
【００９４】
このデジタルビデオディスクカメラ８０は、図３７に示すような構成を有している。図３７において、８１はフォーカスリング、８２はレンズカバー、８３はレンズ組立体、８４は鏡筒カバー、８５は取付リング、８６は前カメラフレーム、８７は電子ビューファインダ、８８はファインダホルダ、８９はファインダリング、９０はファインダケース、９１はバッテリーホルダ、９２はバッテリー電源、９３ａ〜９３ｃはそれぞれ配線基板、９４はベースフレーム、９５は後カメラフレーム、９６は液晶表示装置、９７はディスク装着蓋である。
【００９５】
レンズ組立体８３は、複数枚の組み合わせレンズが収納されたレンズホルダ８３ａと、このレンズホルダ８３ａの対物レンズと反対側に配置された固体撮像素子（ＣＣＤ）８３ｂ等を有している。このレンズ組立体８３の対物レンズ側がレンズカバー８２によって覆われていて、その対物レンズの先端部にフォーカスリング８１が取り付けられている。レンズ組立体８３の固体撮像素子８３ｂ側の下部には鏡筒カバー８４が取り付けられている。この鏡筒カバー８４は、取付リング８５によって前カメラフレーム８６の筒体部８６ａに取り付けられている。そして、固体撮像素子８３ｂの上方には電子ビューファインダ８７が配設されている。
【００９６】
電子ビューファインダ８７は、ファインダホルダ８８に取り付けられており、その後方にはファインダリング８９が配置されている。このファインダリング８９を含む電子ビューファインダ８７の上下は、上下方向に二分割とされた上部カバー８９ａ及び下部カバー８９ｂによって覆われている。そして、電子ビューファインダ８７を含むファインダ全体は、ファインダケース９０により覆われている。これにより、余分な光が電子ビューファインダ８７内に入射されるのを防止している。
【００９７】
また、固体撮像素子８３ｂの後方には３枚の配線基板９３ａ〜９３ｃが前後方向へ重ね合わせるように配置されている。前側２枚の配線基板９３ａ，９３ｂはカメラ用の電子回路が設けられたものであり、後側１枚の配線基板９３ｃはドライブ用の電子回路が設けられたものである。この後配線基板９３ｃの後方に、ベースフレーム９４に取り付けられてディスクドライブ装置１７が配設されている。
【００９８】
図３６に示すように、把持部８６ｂの上部には、電源スイッチ９８ａとシャッタボタン９８ｂとが設けられている。また、筒体部８６ａの把持部８６ｂと反対側の側面には、フォーカススイッチ等が取り付けられたスイッチカバー９８ｃが取り付けられている。後カメラフレーム９５の背面には大きな開口部９５ａが設けられており、この開口部９５ａからディスクドライブ装置２０のターンテーブル２４側の面が大きく露出される。そして、開口部９５ａは、ヒンジによって後カメラフレーム９５に連結されたディスク装着蓋９７により開閉可能とされている。このディスク装着蓋９７には表示窓９７ａが設けられており、その表示窓９７ａには液晶表示装置９６が装着されている。このディスク装着蓋９７のロック及びロック解除は、後カメラフレーム９５の側面に設けられた開閉スイッチ９５ｂによって行うことができる。
【００９９】
また、カメラ本体の把持部８６ｂの内部には、バッテリーホルダ９１が収納されている。このバッテリーホルダ９１の前面にはバッテリーカバーが着脱可能に取り付けられており、バッテリーホルダ９１に対してバッテリー電源９２が着脱自在とされている。バッテリーホルダ９１には端子ホルダ９１ａが着脱自在に取り付けられており、端子ホルダ９１ａの着脱を経てバッテリー電源９２がバッテリーホルダ９１に着脱される。
【０１００】
このような構成を有するデジタルビデオディスクカメラ８０は、例えば、次のようにして使用することができる。この場合、情報記録媒体である光学ディスクの取り付け・取り外し操作は、必要によりディスク装着蓋９７を開けて手動操作によって行う。即ち、ディスク装着蓋９７を開いて後カメラフレーム９５の開口部９５ａを開口させ、これにより露出されたディスクドライブ装置１７のターンテーブル２４に光学ディスクを取り付け、又は予め装着されている光学ディスクを取り外す。
【０１０１】
そして、ディスクドライブ装置１７に光学ディスクを取り付けた後、ディスク装着蓋９７を閉じることにより撮影が可能となり、この撮影による映像情報や音声情報の記録を実行することができる。即ち、電源スイッチ９８ａを入れた後、シャッタボタン９８ｂを押すことにより、その撮影モードに応じて、一般のビデオカメラと同様に連続した映像を移したり、普通のカメラと同様に１枚毎の撮影を行うことができる。
【０１０２】
このディスクドライブ装置１７によれば、ディスクドライブ組立体２０の上面全体がベースユニットカバー１００によって覆われていると共に、そのベースユニットカバー１００はクリップ１０４及びリード線１０７を介してベースフレーム９４に電気的に接続されており、ベースユニットカバー１００からベースフレーム９４へと電気を流すことができる状態になっている。このディスクドライブ装置１７に静電気が作用するものとすると、その静電気は、ディスクドライブ組立体２０に達する前にベースユニットカバー１００に作用する。
【０１０３】
ところが、ベースユニットカバー１００はクリップ１０４及びリード線１０７を介してベースフレーム９４に接続されているため、ベースユニットカバー１００に作用した静電気は、そこからディスクドライブ組立体２０に飛ぶことなく、クリップ１０４及びリード線１０７を介してベースフレーム９４に流される。そのため、静電気がディスクドライブ組立体２０、特に光学ピックアップ装置２５に飛ぶことを回避することができ、従って、ディスクドライブ組立体２０に取り付けられたレーザダイオードやレーザドライバＩＣ等の電子部品、電気素子が静電気の影響を受けて静電破壊されるのを防止することができる。
【０１０４】
また、モータベース板３６がクリップ１０４及びリード線１０７を介してベースフレーム９４に接続されている。そのため、静電気がスピンドルモータ２３に飛んだ場合、その静電気は、モータベース板３６からクリップ１０４及びリード線１０７を介してベースフレーム９４に流される。従って、スピンドルモータ２３の制御に用いられているホール素子その他の電子部品、電気素子が静電気の影響を受けるのを回避することができ、その静電気による静電破壊の発生を防止することができる。
【０１０５】
図２３〜図２８には、本発明に係るベースユニットカバーの第２の実施例を示す。この第２の実施例に示すベースユニットカバー１２０は、上述したクリップ１０４及びリード線１０７を用いることなく、ベースユニットカバー１２０単体でベースフレーム９４と電気的接続が行えるように構成したものである。この第２の実施例において、ディスクドライブ組立体２０及びベースフレーム９４については変更がないため、同一部分に同一符号を付して、その説明を省略する。
【０１０６】
図２３Ａ，Ｂ及びＣに示すように、ベースユニットカバー１２０は、ディスクドライブ組立体２０の上面を覆うことができる上面部１２０ａと、この上面部１２０ａの外周縁を略全周に渡って覆う側面部１２０ｂと、アース手段の第２の実施例を示す第１のアース片１２１及び第２のアース片１２２とを有している。上面部１２０ａは、ディスクドライブ組立体２０の上面形状に見合った形状を有し、ターンテーブル２４と対応する位置には円形の貫通穴１２３が設けられ、また、光学ピックアップ６２の対物レンズ７０と対応する位置には所定の幅を有する貫通長穴１２４が設けられている。
【０１０７】
ベースユニットカバー１２０の貫通穴１２３は、ターンテーブル２４の直径よりも少々大きく形成されており、組立時には、ターンテーブル２４の載置部２４ｂが貫通される。また、ベースユニットカバー１２０の貫通長穴１２４は、光学ヘッド６２ａの対物レンズ７０の幅よりも少々幅広に形成されていると共に、その対物レンズ７０の移動軌跡と重なり合うように延在されている。更に、上面部１２０ａには、ベースユニットカバー１２０をベースユニットシャーシ２１に固定するために複数個（本実施例では３個）の挿通孔１２５が設けられている。そして、各挿通孔１２５の周縁部には、固定ネジの頭部を収納するための座ぐり部１２５ａが設けられている。
【０１０８】
ベースユニットカバー１２０の側面部１２０ｂには、第１のアース片１２１が一体に形成されている。第１のアース片１２１は、上面部１２０ａと反対側に突出する脚体部１２１ａと、この脚体部１２１ａの先端に連続された弾性部１２１ｂとを有している。脚体部１２１ａの平面は上面部１２０ａの平面と直交する方向に設定されていて、これと交差する方向に平面を展開させることによって弾性部１２１ｂが設けられている。即ち、弾性部１２１ｂは、脚体部１２１ａに連続する部分を９０°に折り曲げて上面部１２０ａと平行に展開させると共に、その連続部分の近傍で９０°以下の適宜角度に折り曲げて先端側を傾斜させることによって弾性が付与されている。この弾性部１２１ｂの先端部は、ベースフレーム９４の上面に圧接される。
【０１０９】
また、ベースユニットカバー１２０の第２のアース片１２２は、側面部１２０ｂの連続性が途切れた部分１２０ｃの内側に設けられている。この第２のアース片１２２は、第１のアース片１２１の弾性部１２１ｂと同様の構成とされており、上面部１２０ａの一部にコ字状の切込みを付けることによって形成されている。そして、上面部１２０ａと連続する部分９０°以下の適宜角度に折り曲げて先端側を傾斜させることによって弾性が付与されている。この第２のアース片１２２の先端部は、モータベース板３６の上面に圧接される。
【０１１０】
このベースユニットカバー１２０も、上述したベースユニットカバー１００と同様の目的で使用されるもので、ディスクドライブ組立体２０の上面を覆って塵や埃等が付着するのを防止すると共に、プリント配線基板等に搭載された電子部品や電気素子を静電気から保護する役割を有するものである。そのため、ベースユニットカバー１２０の材質としては、同様に導電性に優れた電気の導体からなるステンレス鋼やスチール鋼等の金属その他の導電性を有する各種の材料を用いることができる。
【０１１１】
このベースユニットカバー１２０は、次のようにしてディスクドライブ組立体２０に取り付ける。即ち、ディスクドライブ組立体２０の上にベースユニットカバー１２０を被せ、所定数の固定ネジ１０９ａを用いてベースユニットカバー１２０をベースユニットシャーシ２１に締付固定する。これにより、図２４乃至図２７に示すように、ディスクドライブ組立体２０に対するベースユニットカバー１２０の組立が完了する。
【０１１２】
このとき、図２５に示すように、ベースユニットカバー１２０の第１のアース片１２１の弾性部１２１ｂの先端がベースフレーム９４の上面に、自己が持つバネ力によって圧接される。そのため、第１のアース片１２１を介してベースユニットカバー１２０とベースフレーム９４とが直接導通され、電流を流すことができる状態となる。また、図２５及び図２７に示すように、第２のアース片１２２の先端がモータベース板３６の上面に、自己が持つバネ力によって圧接される。そのため、第２のアース片１２２を介してモータベース板３６とベースフレーム９４とが直接導通され、電流を流すことができる状態となる。
【０１１３】
このようにベースユニットカバー１２０が装着されたカバー付ディスクドライブ組立体２０を、ベースフレーム９４に組み立てる。このベースフレーム９４に対するカバー付ディスクドライブ組立体２０の組み立ては、上述した第１の実施例と同様である。その結果、図２８Ａ，Ｂ及びＣに示すようなディスクドライブ装置１８が得られる。このような構成を有するディスクドライブ装置１８によっても、上述した第１の実施例と同様の効果を得ることができる。
【０１１４】
図２９〜図３４には、本発明に係るベースユニットカバーの第３の実施例を示す。この第３の実施例に示すベースユニットカバー１３０は、コイルバネを用いることによってベースフレーム９４と電気的接続が行えるように構成したものである。この第３の実施例において、ディスクドライブ組立体２０及びベースフレーム９４については変更がないため、同一部分に同一符号を付して、その説明を省略する。
【０１１５】
図２９Ａ，Ｂ及びＣに示すように、ベースユニットカバー１３０は、ディスクドライブ組立体２０の上面を覆うことができる上面部１３０ａと、この上面部１３０ａの外周縁を略全周に渡って覆う側面部１３０ｂと、第１のアース片１３１及び第２のアース片１３２と、これら第１及び第２のアース片１３１，１３２と組み合わせることによってアース手段を構成するコイルバネ１３３とを有している。
【０１１６】
ベースユニットカバー１３０の上面部１３０ａは、ディスクドライブ組立体２０の上面形状に見合った形状を有し、ターンテーブル２４と対応する位置には円形の貫通穴１３４が設けられ、また、光学ピックアップ６２の対物レンズ７０と対応する位置には所定の幅を有する貫通長穴１３５が設けられている。これらの貫通穴１３４及び貫通長穴１３５は、上述した貫通穴１０１及び貫通長穴１０２等と同様の大きさを有し、また同方向に延在されている。そして、上面部１３０ａには、同様に挿通孔１３６及び座ぐり部１３６ａが設けられている。
【０１１７】
ベースユニットカバー１３０の側面部１３０ｂには、第１のアース片１３１が一体に設けられている。第１のアース片１３１は上面部１３０ａと反対側に突出されており、その先部をクランク状に折り曲げることによってバネ受け部１３１ａが形成されている。また、ベースユニットカバー１３０の第２のアース片１３２は、側面部１３０ｂの連続性が途切れた部分１３０ｃの内側に設けられている。この第２のアース片１３２は、第１のアース片１３１と同様の構成とされており、上面部１３０ａと反対側に突出する先部をクランク状に折り曲げることによってバネ受け部１３２ａが形成されている。
【０１１８】
これらバネ受け部１３１ａ，１３２ａによってコイルバネ１３３の一端が支持されている。コイルバネ１３３は、ベースユニットカバー１３０とベースフレーム９４又はモータベース板３６との間を電気的に接続するために用いられるものである。そのため、コイルバネ１３３の材質としては、ベースユニットカバー１３０等と同様に、電気の導体からなるステンレス鋼やスチール鋼等の金属その他の導電性に優れた材料を用いる。尚、ベースユニットカバー１３０も、上述したベースユニットカバー１００及び１２０と同様の目的で使用されるものであり、そのため、同じく導電性に優れた電気の導体からなるステンレス鋼やスチール鋼等の金属その他の導電性を有する各種の材料を用いることができる。
【０１１９】
このベースユニットカバー１３０は、次のようにしてディスクドライブ組立体２０に取り付けることができる。即ち、ディスクドライブ組立体２０の上にベースユニットカバー１３０を被せ、所定数の固定ネジ１０９ａを用いてベースユニットカバー１３０をベースユニットシャーシ２１に締付固定する。この際、第１のアース片１３１のバネ受け部１３１ａに第１のコイルバネ１３３の一端を着座させ、その他端をベースフレーム９４に着座させる。また、第２のアース片１３２のバネ受け部１３２ａに第２のコイルバネ１３３の一端を着座させ、その他端をモータベース板３６に着座させる。これにより、図３０乃至図３３に示すように、ディスクドライブ組立体２０に対するベースユニットカバー１３０の組立が完了する。
【０１２０】
このとき、図３１に示すように、第１のアース片１３１にコイルバネ１３３の一端が電気的に接続され、このコイルバネ１３３の他端がベースフレーム９４に電気的に接続される。そのため、第１のアース片１３１及びコイルバネ１３３を介してベースユニットカバー１３０とベースフレーム９４とが導通され、電流を流すことができる状態となる。また、図３１及び図３３に示すように、第２のアース片１３２にコイルバネ１３３の一端が電気的に接続され、このコイルバネ１３３の他端がモータベース板３６に電気的に接続される。そのため、第２のアース片１３２及びコイルバネ１３３を介してモータベース板３６とベースフレーム９４とが導通され、電流を流すことができる状態となる。
【０１２１】
このようにベースユニットカバー１３０が装着されたカバー付ディスクドライブ組立体２０を、ベースフレーム９４に組み立てる。このベースフレーム９４に対するカバー付ディスクドライブ組立体２０の組み立ては、上述した第１及び第２の実施例と同様である。その結果、図３４Ａ，Ｂ及びＣに示すようなディスクドライブ装置１９が得られる。このような構成を有するディスクドライブ装置１９によっても、上述した第１の実施例と同様の効果を得ることができる。
【０１２２】
上記実施例においては、ディスクドライブ装置１７〜１９をデジタルビデオディスクカメラ８０に適用した例について説明したが、次のような電子装置にも使用することができる。例えば、ＣＤプレーヤー、ＤＶＤプレーヤー、ＣＤ−ＲＯＭドライブ装置、ＤＶＤドライブ装置、ＣＤ−Ｒドライブ装置、ＣＤ−ＲＷドライブ装置、その他各種のディスクドライブ装置として適用することができるものである。即ち、記録再生兼用のディスク記録再生装置に適用できることは勿論のこと、記録又は再生の一方のみが可能なディスク記録装置又はディスク再生装置に適用することができるものである。
【０１２３】
また、上記実施例では、情報記録媒体として光学ディスクを用いた例について説明したが、光磁気ディスク、フロッピーディスク等の磁気ディスク、その他各種のディスク状記録媒体に適用することができることは勿論である。この際、ディスク状記録媒体の種類に応じてピックアップ装置についても同様に、光磁気ピックアップ装置、磁気ピックアップ装置等が適用されることは勿論である。このように、本発明は、その趣旨を逸脱しない範囲で種々変更できるものである。
【０１２４】
【発明の効果】
以上説明したように、本出願のディスクドライブ装置によれば、ベースユニットシャーシとピックアップ装置とベースフレームとベースユニットカバーとアース手段とを設け、アース手段を介してベースユニットカバーとベースフレームとを電気的に接続する構成としたため、ピックアップ装置やディスク回転機構のスピンドルモータ等が支持されるベースユニットシャーシに静電気が帯電されるのを防止することができ、このベースユニットシャーシから静電気がピックアップ装置やスピンドルモータ等に飛ぶのを回避することができる。
【０１２５】
そのため、静電気に対する耐久性が弱く、許容以上の静電気が加えられると、その静電気によって静電破壊を生じるホール素子やレーザダイオード等のデバイスを静電気から保護し、これらのデバイスが静電気によって静電破壊されるのを防止することができるという効果を得ることができる。また、ベースユニット組立体の大部分が導電性のベースユニットカバーによって覆われるため、ピックアップ装置のレーザドライバＩＣから発信される輻射ノイズの低減を図ることができるという効果も得られる。
【図面の簡単な説明】
【図１】本発明のディスクドライブ装置に係るディスクドライブ組立体を示す斜視図である。
【図２】図１に示すディスクドライブ組立体の平面図である。
【図３】図１に示すディスクドライブ組立体の正面図である。
【図４】図１に示すディスクドライブ組立体の底面図である。
【図５】図４に示すディスクドライブ組立体の底面図からベースユニットサブシャーシを取り除いた要部を拡大して示す説明図である。
【図６】図４に示すディスクドライブ組立体の底面図からモータベース板を取り除いた説明図である。
【図７】図１に示すディスクドライブ組立体の要部を断面して示す背面図である。
【図８】図２に示すディスクドライブ組立体のＷ−Ｗ線断面図である。
【図９】図２に示すディスクドライブ組立体のＸ−Ｘ線断面図である。
【図１０】図１に示すディスクドライブ組立体の左側面図である。
【図１１】図２に示すディスクドライブ組立体のＹ−Ｙ線断面図である。
【図１２】図２に示すディスクドライブ組立体のＺ−Ｚ線断面図である。
【図１３】図２に示すディスクドライブ組立体からベースユニットシャーシを取り除いた平面図である。
【図１４】図１３のスピンドルモータ及び光学ピックアップ装置を示す正面図である。
【図１５】本発明のディスクドライブ装置に係るベースユニットカバーの第１の実施例を示すもので、同図Ａは平面図、同図Ｂは正面図である。
【図１６】本発明のディスクドライブ装置に係るクリップを示すもので、同図Ａは正面側から見た斜視図、同図Ｂは背面側から見た斜視図、同図Ｃは正面図、同図Ｄは左側面図、同図Ｅは底面図である。
【図１７】図１のディスクドライブ組立体に図１５のベースユニットカバーを取り付けた状態を示す平面図である。
【図１８】図１のディスクドライブ組立体に図１５のベースユニットカバーを取り付けた状態を示す正面図である。
【図１９】図１のディスクドライブ組立体に図１５のベースユニットカバーを取り付けた状態を示す底面図である。
【図２０】図１のディスクドライブ組立体と図１５のベースユニットカバーを示すもので、同図Ａは組立状態の一部を断面した背面図、同図Ｂは分離状態の一部を断面した背面図である。
【図２１】図１のディスクドライブ組立体と図１５のベースユニットカバーを示すもので、同図Ａは組立状態の左側面図、同図Ｂは分離状態の左側面図である。
【図２２】図１７のカバー付ディスクドライブ組立体をベースフレームに取り付けた状態を示すもので、同図Ａは平面図、同図Ｂは正面図、同図Ｃは左側面図である。
【図２３】本発明のディスクドライブ装置に係るベースユニットカバーの第２の実施例を示すもので、同図Ａは平面図、同図Ｂは正面図、同図Ｃは左側面図である。
【図２４】図１のディスクドライブ組立体に図２３のベースユニットカバーを取り付けた状態を示す平面図である。
【図２５】図１のディスクドライブ組立体に図２３のベースユニットカバーを取り付けた状態を示す左側面図である。
【図２６】図１のディスクドライブ組立体に図２３のベースユニットカバーを取り付けた状態を示す底面図である。
【図２７】図１のディスクドライブ組立体と図２３のベースユニットカバーを示す一部を断面した背面図である。
【図２８】図２４のカバー付ディスクドライブ組立体をベースフレームに取り付けた状態を示すもので、同図Ａは平面図、同図Ｂは正面図、同図Ｃは左側面図である。
【図２９】本発明のディスクドライブ装置に係るベースユニットカバーの第３の実施例を示すもので、同図Ａは平面図、同図Ｂは正面図、同図Ｃは左側面図である。
【図３０】図１のディスクドライブ組立体に図２９のベースユニットカバーを取り付けた状態を示す平面図である。
【図３１】図１のディスクドライブ組立体に図２９のベースユニットカバーを取り付けた状態を示す左側面図である。
【図３２】図１のディスクドライブ組立体に図２９のベースユニットカバーを取り付けた状態を示す底面図である。
【図３３】図１のディスクドライブ組立体と図２９のベースユニットカバーを示す一部を断面した背面図である。
【図３４】図３０のカバー付ディスクドライブ組立体をベースフレームに取り付けた状態を示すもので、同図Ａは平面図、同図Ｂは正面図、同図Ｃは左側面図である。
【図３５】本発明のディスクドライブ装置が用いられたデジタルビデオディスクカメラの実施例を示す側面図である。
【図３６】本発明のディスクドライブ装置が用いられたデジタルビデオディスクカメラの実施例を示す平面図である。
【図３７】本発明のディスクドライブ装置が用いられたデジタルビデオディスクカメラの実施例を示す分解斜視図である。
【図３８】従来のディスクドライブ装置を示す斜視図である。
【符号の説明】
１７，１８，１９  ディスクドライブ装置、  ２０  ディスクドライブ組立体、  ２１  ベースユニットシャーシ、  ２２  ベースユニットサブシャーシ、  ２３  スピンドルモータ、  ２４  ターンテーブル、  ２５  光学ピックアップ装置（ピックアップ装置）、  ２６  送りネジ軸、  ２７  送りモータ、  ２８開口部、  ３２  モータ収納部、  ３３  サブガイド軸、  ３６  モータベース板、  ４８  出力ギア、  ５４  駆動ギア、  ６０  ガイド軸、  ６１  スライド部材、  ６２  光学ピックアップ、  ６７  送りナット、  ８０  デジタルビデオディスクカメラ、  ９４  ベースフレーム、  １００，１２０，１３０  ベースユニットカバー、  １０４  クリップ、  １０５，１０６  挟持部、  １０７  リード線、  １０８  クリップ装着部、  １２１，１２２，１３１，１３２  アース片、  １３３  コイルバネ、  Ｄ  光学ディスク（ディスク状記録媒体）
【図１】
0004496664.tif 000002
【図２】
0004496664.tif 000003
【図３】
0004496664.tif 000004
【図４】
0004496664.tif 000005
【図５】
0004496664.tif 000006
【図６】
0004496664.tif 000007
【図７】
0004496664.tif 000008
【図８】
0004496664.tif 000009
【図９】
0004496664.tif 000010
【図１０】
0004496664.tif 000011
【図１１】
0004496664.tif 000012
【図１２】
0004496664.tif 000013
【図１３】
0004496664.tif 000014
【図１４】
0004496664.tif 000015
【図１５】
0004496664.tif 000016
【図１６】
0004496664.tif 000017
【図１７】
0004496664.tif 000018
【図１８】
0004496664.tif 000019
【図１９】
0004496664.tif 000020
【図２０】
0004496664.tif 000021
【図２１】
0004496664.tif 000022
【図２２】
0004496664.tif 000023
【図２３】
0004496664.tif 000024
【図２４】
0004496664.tif 000025
【図２５】
0004496664.tif 000026
【図２６】
0004496664.tif 000027
【図２７】
0004496664.tif 000028
【図２８】
0004496664.tif 000029
【図２９】
0004496664.tif 000030
【図３０】
0004496664.tif 000031
【図３１】
0004496664.tif 000032
【図３２】
0004496664.tif 000033
【図３３】
0004496664.tif 000034
【図３４】
0004496664.tif 000035
【図３５】
0004496664.tif 000036
【図３６】
0004496664.tif 000037
【図３７】
0004496664.tif 000038
【図３８】
0004496664.tif 000039